(57)【要約】【課題】均一な輝度分布を実現し、かつ、外観の良好な導光板を提供すること。【解決手段】透明材からなる板状物の導光板は、光源からの光を取り入れる入射面である側端面と、光を射出する射出面と、当該射出面に対面する底面とを備え、少なくとも底面は、板厚方向に凹状である複数の凹状要素を備え、入射面に対して垂直かつ板厚方向に平行な第１断面において、凹状要素の深さは、入射面から当該入射面の法線方向である第１方向に離間するほど増大し、入射面に平行な第２断面において、凹状要素の深さは、当該第２断面の中央部から第１方向及び板厚方向に直交する第２方向に離間するほど増大する。【選択図】図２
2013206595.tif 000002
【特許請求の範囲】
【請求項１】
透明材からなる板状物の導光板であって、
光源からの光を取り入れる入射面である側端面と、前記光を射出する射出面と、当該射出面に対面する底面とを備え、
少なくとも前記底面は、板厚方向に凹状である複数の凹状要素を備え、
前記入射面に対して垂直かつ前記板厚方向に平行な第１断面において、前記凹状要素の深さは、前記入射面から当該入射面の法線方向である第１方向に離間するほど増大し、
前記入射面に平行な第２断面において、前記凹状要素の深さは、当該第２断面の中央部から前記第１方向及び前記板厚方向に直交する第２方向に離間するほど増大することを特徴とする導光板。
【請求項２】
前記第２断面における、前記第２方向に離間した両端部のいずれかの前記凹状要素の深さと、前記中央部の前記凹状要素の深さとの差は、当該第２断面が前記入射面から前記第１方向に離間するほど増大することを特徴とする、請求項１に記載の導光板。
【請求項３】
前記凹状要素の前記底面に対する単位面積あたりの占有面積は、前記入射面から前記第１方向に離間するほど大きくなることを特徴とする、請求項１または２に記載の導光板。
【請求項４】
前記入射面は、１つの前記側端面であり、
前記入射面からの前記第１方向の距離がαｍｍである地点の前記第２断面において、前記第２方向に離間した両端部のいずれかの前記凹状要素の深さと、前記中央部の前記凹状要素の深さとの差の当該中央部における前記凹状要素の深さに対する比ΔＨは、αが５ｍｍ増加するごとに、０．０７〜０．０９％増大することを特徴とする、請求項１から３のいずれかに記載の導光板。
【請求項５】
前記入射面は、対向する２つの前記側端面であり、
２つの前記入射面のうち近い方からの前記第１方向の距離がαｍｍである地点の前記第２断面において、前記第２方向に離間した両端部のいずれかの前記凹状要素の深さと、前記中央部の前記凹状要素の深さとの差の当該中央部における前記凹状要素の深さに対する比ΔＨは、αが５ｍｍ増加するごとに、０．０７〜０．０９％増大することを特徴とする、請求項１から３のいずれかに記載の導光板。
【請求項６】
請求項１から５の何れかに記載の導光板と、光源ユニットとを含むことを特徴とする照明装置。
【請求項７】
請求項６に記載の照明装置と、表示画像を規定する画像表示素子とを含むことを特徴とする表示装置。
【発明の詳細な説明】
【技術分野】
【０００１】
本発明は、導光板、導光板を用いた照明装置および表示装置に関する。
【背景技術】
【０００２】
一般的な液晶ディスプレイのような表示装置は、透過型液晶パネルの背面に照明装置（バックライトユニット）を有する。このバックライトユニットは、光源ランプの光を光透過性に優れた平板状の導光板内で多重反射させるライトガイド（所謂エッジライト）方式と、光源ランプで直接照明する直下型方式の２方式に大別される。
【０００３】
この種の導光板の側端部近傍に光源が配されてなる照明装置では、導光板の一側端面から導光板内に入射した光は、導光板の平面部を全反射しながら導光板内を進む。なお、この光源の形状は限定されず、例えば線状や点状であってもよい。
【０００４】
導光板の表示装置と対面する面（以下、射出面と称する）およびその反対側の面（以下、底面と称する）が全域にわたり平坦であると、入射した光の多くはこれらと外気との境界面において全反射してしまい、導光板からの光射出効率、つまり表示装置に対する照射効率が低下する。このため、多くの導光板は、その射出面あるいは底面に多数の微細な凹凸形状を有し、これにより全反射のみの繰り返しを妨げることで、光射出効率を向上させている。
【０００５】
この種の照明装置を用いた表示装置において、輝度のムラを低減し画面全体を均一に明るくする方法として、たとえば特許文献１に記載の照明装置が提案されている。特許文献１には、導光板の底面において、入射光を反射／拡散させる光制御要素を同一間隔で配列するとともに光源から離れるにしたがい光制御要素の大きさを増大させるか、または等しい大きさの光制御要素の配列間隔を二次元方向に変化させ小さくすることで密度を増大させる構成が示されている。
【０００６】
しかし、上記のような従来の導光板では、入射面に対向する終端面付近、とくにその両隅の輝度が不十分で、面内の輝度均一性が悪く、さらに、光源近傍の光制御要素がとくに疎らにあるため、輝点として視認されやすいという問題がある。
【先行技術文献】
【特許文献】
【０００７】
【特許文献１】特開平３−６５２５号公報
【発明の概要】
【発明が解決しようとする課題】
【０００８】
本発明は、上記問題に鑑みてなされたものであり、本発明の主たる目的は、均一な輝度分布を実現し、かつ、外観の良好な導光板を提供することである。
【課題を解決するための手段】
【０００９】
本発明は、上述の課題を解決するために、以下の構成を採用した。
【００１０】
第１の局面の導光板は、透明材からなる板状物の導光板であって、光源からの光を取り入れる入射面である側端面と、光を射出する射出面と、当該射出面に対面する底面とを備え、少なくとも底面は、板厚方向に凹状である複数の凹状要素を備え、入射面に対して垂直かつ板厚方向に平行な第１断面において、凹状要素の深さは、入射面から当該入射面の法線方向である第１方向に離間するほど増大し、入射面に平行な第２断面において、凹状要素の深さは、当該第２断面の中央部から第１方向及び板厚方向に直交する第２方向に離間するほど増大することを特徴とする。
【００１１】
第２の局面は、第１の局面において、第２断面における、第２方向に離間した両端部のいずれかの凹状要素の深さと、中央部の凹状要素の深さとの差は、当該第２断面が入射面から第１方向に離間するほど増大することを特徴とする。
【００１２】
第３の局面は、第１または第２の局面において、凹状要素の底面に対する単位面積あたりの占有面積は、入射面から第１方向に離間するほど大きくなることを特徴とする。
【００１３】
第４の局面は、第１から第３の局面のいずれかにおいて、入射面は、１つの側端面であり、入射面からの第１方向の距離がαｍｍである地点の第２断面において、第２方向に離間した両端部のいずれかの凹状要素の深さと、中央部の凹状要素の深さとの差の当該中央部における凹状要素の深さに対する比ΔＨは、αが５ｍｍ増加するごとに、０．０７〜０．０９％増大することを特徴とする。
【００１４】
第５の局面は、第１から第３の局面のいずれかにおいて、入射面は、対向する２つの側端面であり、２つの入射面のうち近い方からの第１方向の距離がαｍｍである地点の第２断面において、第２方向に離間した両端部のいずれかの凹状要素の深さと、中央部の凹状要素の深さとの差の当該中央部における凹状要素の深さに対する比ΔＨは、αが５ｍｍ増加するごとに、０．０７〜０．０９％増大することを特徴とする。
【００１５】
第６の局面の照明装置は、第１から第５の局面のいずれかの導光板と、光源ユニットとを含むことを特徴とする。
【００１６】
第７の局面の表示装置は、第６の局面の照明装置と、表示画像を規定する画像表示素子とを含むことを特徴とする。
【００１７】
上記した構成によれば、導光板の底面には、多数の微小な凹状要素が形成されており、その凹状要素は、入射面に対して垂直な方向および入射面に対して平行な方向で、その深さが変化する。このことにより、導光板の射出面において均一な輝度分布を実現することができる。また、入射面に近い領域において、光射出能力の低い凹状要素を、その占有面積を大きく配置することができ、その領域で凹状要素が輝点として視認されることを防ぎ、外観を良化することができる。
【発明の効果】
【００１８】
本発明によれば、均一な輝度分布を実現し、かつ、外観の良好な導光板を提供することができる。
【図面の簡単な説明】
【００１９】
【図１】本発明の一実施形態に係る表示装置１の分解断面図
【図２】光源４が導光板６の一側端面側にのみ配された場合の凹状要素９の配置例を示す正面図、平面図、および側面図
【図３】光源４が導光板６の対向する両側端面側に配された場合の凹状要素９の配置例を示す正面図および平面図
【図４】導光板６に入射した光の進路を示す模式図
【図５】凹状要素９の形状の一例を示す模式図
【図６】底面８の分割の一例を示す模式図
【図７】底面８の分割の一例を示す模式図
【図８】面輝度の偏りの評価における、射出面１０上の測定点を示す模式図
【発明を実施するための形態】
【００２０】
以下、図面を用いて本発明の一実施形態に係る表示装置１について説明する。図１は、本実施形態に係る導光板６を用いた表示装置１の構成の一例を示す分解斜視図である。図１に示されるように、表示装置１は、照明装置２及び画像表示パネル３で構成される。
【００２１】
照明装置２は、光学シート１１と導光板６と反射シート５と光源４とを備えて矩形板状や楔形状に構成される。
【００２２】
光源４は、たとえばＣＣＦＬ（Ｃｏｌｄ  Ｃａｔｈｏｄｅ  Ｆｌｕｏｒｅｓｃｅｎｔ  Ｌａｍｐ）、ＨＣＦＬ（Ｈｏｔ  Ｃａｔｈｏｄｅ  Ｆｌｕｏｒｅｓｃｅｎｔ  Ｌａｍｐ）、ＥＬ（Ｅｌｅｃｔｒｏ  Ｌｕｍｉｎｅｓｃｅｎｃｅ）やＬＥＤ（Ｌｉｇｈｔ  Ｅｍｉｔｔｉｎｇ  Ｄｉｏｄｅ）などの発光素子からなる。光源４には、光源４の光を覆うように、光を反射して効率よく導光板６に入射させるハウジングが設けられると、なおよい。光源４は、導光板６の一方の側端面側にのみ配されてもよい（後述する図２を参照）が、両側端面側に配されてもよい（後述する図３を参照）。
【００２３】
反射シート５は、導光板６に入射した光がその底面から抜け出ることによる光の損失を防ぐために設けられる。反射シート５としては、たとえば、ＰＥＴやＰＰ等にフィラーを練後延伸することによりボイドを形成して反射率を高めた樹脂シート、表面にアルミ蒸着などで鏡面を形成した、透明または白色の樹脂シート、アルミ等の金属箔もしくは金属箔を担持した樹脂シート、表面に十分な反射性を有する金属薄板、を用いることができる。
【００２４】
導光板６は、光源４の光を画像表示パネル３の全面に導く働きを有する。導光板６は、透明材からなる板状物であり、画像表示パネル３の位置する方向に光を射出する射出面１０と、当該射出面１０に対向する底面８とを有する。そして、底面８には、多数の微細な凹状要素９が形成されている。導光板６の一側端面（入射面７）から入射した光は、導光板６の平面部を全反射しながら、導光板６の内部を進む。このとき、導光板６の底面８には、凹状要素９が形成されているため、図４に示すように、入射光は、凹状要素９界面においてその進路を変更される。
【００２５】
導光板６は、光透過性が高く、複屈折性が低い素材からなる。たとえばガラスのような基材上にＵＶや放射線硬化樹脂を用いて作られるか、またはポリメチルメタクリレート（ＰＭＭＡ）、ポリカーボネイト（ＰＣ）や環状オレフィン共重合体（ＣＯＣ）などの熱可塑性樹脂材を用いて、既知の押出成形法や、射出成形法などによって成形される。
【００２６】
導光板６の厚みは、とくに限定されないが、０．５〜５ｍｍ程度が好ましい。０．５ｍｍより薄いと割れやすく取り扱い性が悪化し、５ｍｍより厚いとバックライトユニット全体が大きくなり用途が限定され、たとえば薄型ディスプレイなどには不向きとなる。
【００２７】
光学シート１１は、導光板６と画像表示パネル３との間に配されている。図１では、二枚の光学シートが用いられているが、その枚数は問わない。光学シート１１は、たとえばプリズム構造を有する樹脂フィルムであるプリズムシートや、マイクロレンズ構造を有するマイクロレンズシート、屈折率の異なる微粒子が混入した拡散シートなどであり、光拡散または集光効果を発揮する。前者は、光源から入射する光の光源が配列された方向位置による偏りや、導光板６のキズまたは汚れによる局所的な明暗の発生や、底面８の凹状要素９が容易に視認されることを防ぐ。後者は、導光板６から射出される射出光の角度の分布を絞ることにより、輝度を向上させる。
【００２８】
画像表示パネル３は、２枚の偏光板（偏光フイルム）１２、１３とその間に挟持された画像表示素子１４とからなる。画像表示パネル３は、例えば液晶パネルから構成され、画像表示素子１４は２枚のガラス基板の間に液晶層が充填されて構成される。画像表示素子１４として選択される液晶表示素子は、画素単位で光を透過／遮光して画像を表示する代表的な素子であり、他の表示素子と比べて、画像品位を高くすることができる。
【００２９】
次に、図面を用いて凹状要素９の形状について説明する。図２は、導光板６の底面８に形成された凹状要素９の正面図、平面図、および断面側面図を表わす。図２では、光源４は、導光板６の一側端面側（図２の正面図に示す導光板６の左側）にのみ配置されており、導光板６は、１つの入射面７（図２の正面図に示す導光板６の左端部）のみを有する。なお、図２において、入射面７の法線方向をｘ方向として設定し、導光板６の板厚方向をｈ方向として設定し、ｘ方向およびｈ方向に直交する方向をｙ方向として設定する。
【００３０】
図２に示すように、導光板６は、底面８に、板厚方向（ｈ方向）に凹形状の凹状要素９を有する。凹状要素９の大きさは、明瞭に視認されない程度が好ましく、３００ｕｍ四方に収まるものが良い。なお、凹状要素９は、底面８のみならず、底面８を含む複数の面に形成されていてもよい。
【００３１】
凹状要素９の底面８における形状は、とくに問わない。たとえば正円であっても星形であってもよいが、略矩形、略楕円形が好ましい。また、略矩形や略楕円形の場合には、各図形の長辺方向が入射面７に対し平行（図２に示すｙ方向）であるとよい。光源４からの入射光は、導光板６の内部を入射面に対して主に垂直な方向（図２に示すｘ方向）に進み、凹状要素９のｙ方向に延伸した斜面において反射し、射出される。そのため、少ない数の凹状要素９で効率的に光を立ち上げるためには、略矩形または略楕円形の凹状要素９を、その長辺方向がｙ方向になるように配置するのがよい。
【００３２】
図２の正面図に示すように、凹状要素９は、入射面７に対し垂直な方向（図２に示すｘ方向）において、入射面からの距離が大きくなるにつれ、その深さすなわち高さが増大するように形成される。なお、ｘ方向において、凹状要素９の高さは、入射面７からの距離が増すにつれ、その高さが単調増加するが、その変化は連続的であっても断続的であってもよい。
【００３３】
また、図２の断面側面図に示すように、凹状要素９は、入射面７と平行な断面（図２の断面側面図に示すｙ方向断面）において、中央からの距離が大きくなるにつれ、その高さが増大するように形成される。具体的には、導光板６のｙ方向断面において、両端部の凹状要素９の高さ（ｈｅ）は、同断面中央部の凹状要素９の高さ（ｈｃ）よりも高く、その差Δｈは、当該ｙ方向断面の光源４からのｘ方向の距離の増加にともない増大する。従来の導光板６では、ある地点のｙ方向断面において、中央部に比べ両端部が暗く、その両者の差は、当該地点の光源４からのｘ方向の距離が増加するにしたがい大きくなるが、この不均一は、導光板６のｙ方向断面におけるΔｈを光源４からのｘ方向の距離の増加にともない増加させることで解消することができる。
【００３４】
以上のように、導光板６のｘ方向において、入射面７からより遠い領域や、ｙ方向断面の両端領域に、光をより効率よく射出する凹状要素９を配することで、それらの領域が暗くなることを防ぐことができ、面輝度均一性を良化することができる。また、均一な輝度を得るために、凹状要素９の大きさか、またはその配列密度、あるいはその両方が入射面７から遠ざかるほどに大きくなるように配した従来の導光板６では、入射面７近傍の凹状要素９があまりに疎らなため輝点として目立ちやすい問題があるが、その領域の凹状要素９の高さを低くすること、すなわち、より光射出能力の低い凹状要素９を配することで、その領域における凹状要素９の占有面積を大きくすることができ、明暗比を小さくすることができるため、凹状要素９を視認されにくくできる。
【００３５】
ここで、ｘ方向において凹状要素９の高さが最も大きくなる入射面７からの距離をｘ１とすると、図２に示すように、導光板６が一側端面のみの入射面７を有する場合、ｘ１は導光板６のｘ方向の長さに等しい。このとき、ｘ方向において、入射面７からの距離がαｍｍである地点における、ｈｅとｈｃの高さの差Δｈの、ｈｃの高さに対する割合ΔＨ％は、αが５ｍｍ増大するごとにおよそ０．０８％増大することが好ましい。
【００３６】
凹または凸状の光制御要素の高さが均一な一般的な導光板では、ｙ方向において導光板両端部と中央部との輝度の差は、入射面７から離間するにしたがい広がる。ところが、上述のように、αの増大にともないΔＨを上述のように増大させることで、ｙ方向の輝度の偏りを解消することができる。なお、αの増減に対するΔＨの変化量が小さすぎると、ｙ方向において両端部の明るさが不十分であり、αの増減に対するΔＨの変化量が大きすぎると、ｙ方向において両端部が明るくなりすぎ、何れにしても導光板６の射出面１０の輝度分布に偏りが生じる。
【００３７】
凹状要素９は、ｘ方向において入射面７からの距離が増大するにつれ、密度すなわち底面８における単位面積あたりの凹状要素９の占める面積が増大すると、なおよい。底面８における占有面積率の変化は、凹状要素９一個あたりの面積の変化によるものであっても、凹状要素９の数の変化によるものであっても、その両方によるものであってもよい。また、占有面積率の変化は、連続的であってもよいし、不連続的であってもよい。ただし、前者は複雑な配置データと高い成形精度を要するため、後者のほうが作製が容易である。後者の例としては、底面８を複数のブロックに分割し、段階的に変化させることが挙げられる。
【００３８】
なお、上記では、光源４は、導光板６の一側端面側（図２の正面図に示す導光板６の左側）にのみ配置されているものとした。しかし、図３に示すように、光源４は、導光板６の両側端面側（図３の正面図に示す導光板６の左右両側）に配置されており、導光板６は、対向する２つの入射面７（図３の正面図に示す導光板６の左右両端部）を有するものとしてもよい。この場合、凹状要素９の高さの変化は、ｙ方向においては図２を用いて説明した場合と同様であるが、ｘ方向においては図２の場合と異なる。具体的には、凹状要素９の高さは、２つの入射面７のうち、近い方の入射面７からの距離が大きくなるにつれて増大するように形成される。したがって、凹状要素９の高さは、ｘ方向において導光板６の中央において最大となる。すなわち、ｘ方向において凹状要素９の高さが最も大きくなる左の入射面７からの距離をｘ２とすると、ｘ２は、導光板６のｘ方向の長さの半分に等しい。このとき、ｘ方向において、２つの入射面７のうち、近い方の入射面７からの距離がαｍｍである地点における、ｈｅとｈｃの高さの差Δｈの、ｈｃの高さに対する割合ΔＨ％は、αが５ｍｍ増大するごとにおよそ０．０８％増大することが好ましい。
【００３９】
ところで、上記実施形態において、ΔＨはαが５ｍｍ増加するごとにおよそ０．０８％増大することが好ましいとしたのは、以下のシミュレーション結果による。まず、導光板６をＰＭＭＡ製の長方形平板状で、ｘ方向長さ３００ｍｍ、ｙ方向長さ５００ｍｍ、厚み３ｍｍとし、導光板６の底面８に微細な凹状要素９を配し、この凹状要素９の高さＨが全面にわたって一様であるとした。そして、高さＨの異なる複数の導光板６を用いて、高さＨと中心輝度の関係を、Ｏｐｔｉｃａｌ  Ｒｅｓｅａｒｃｈ  Ａｓｓｏｃｉａｔｅｓ社製照明設計解析ソフトウェアＬｉｇｈｔＴｏｏｌｓを用いたシミュレーションにより調べたところ、高さＨの１％の増加にともない、輝度がおよそ２％高くなるという結果が得られた。
【００４０】
次に、導光板６をＰＭＭＡ製の長方形平板状で、ｘ方向長さ３００ｍｍ、ｙ方向長さ５００ｍｍ、厚み３ｍｍとし、導光板６の底面８に微細凹状要素９を配し、この凹状要素９の高さＨが一律２０ｕｍの導光板６を用いて、ある地点の入射面７からのｘ方向の距離αｍｍと、ｙ方向断面における中央部の輝度に対する、中央部と両端部の輝度差の割合Δｂの関係を調べたところ、入射面７からｘ方向に５ｍｍ離間するにしたがい、Δｂがおよそ０．１６％大きくなるという結果が得られた。なお、輝度はサイバネット製の空間輝度計ＰｒｏＭｅｔｒｉｃ（ＰＭ―１２００）を用いて測定した。以上の結果により、入射面７からのｘ方向の距離がαｍｍである地点における、ｈｅとｈｃの高さの差Δｈの、ｈｃの高さに対する割合ΔＨ％は、αが５ｍｍ増大するごとにおよそ０．０８％増大することが好ましいとした。
【００４１】
以上、一実施形態に係る導光板６、導光板６を備えた照明装置２、及び照明装置２を備えた表示装置１について説明したが、照明装置２は表示装置１のみに適用されるものではない。また、本発明の技術範囲は、上記実施形態に限定されることなく、本発明の趣旨を逸脱しない範囲において、形状の変更など種々の変更を加えることが可能である。以下、本発明の実施例について詳細に説明するが、本発明は以下の実施例のみに限定されない。
【実施例】
【００４２】
本実施例で用いる導光板６は、ＰＭＭＡ製の長方形平板状であり、ｘ方向の長さを３００ｍｍ、ｙ方向の長さを５００ｍｍ、ｈ方向の長さ（厚み）を３ｍｍとした。導光板６の底面８に配列する凹状要素９は、各凹形状が図５に示す略半楕円体形状をなし、長さＷＬ＝２００ｕｍ、幅ＷＳ＝１００ｕｍ、高さＨ＝１０ｕｍのマイクロレンズ形状とした。また、光源４は、導光板６の一側端面側（図６に示す左側端面側）にのみ配置し、底面８を、図６に示す六領域に分割し、入射面７（図６に示す左側端面）から遠ざかるにつれ、その領域境界で断続的に凹状要素９の底面８における占有面積が大きくなるように配置した。
【００４３】
光源４としては白色ＬＥＤを用い、導光板６の底面８側に反射シート５を配設し、導光板６の射出面１０側に光学シート１１を配置して、照明装置２を作製した。
【００４４】
以下、底面８における凹状要素９の高さがｘ方向において入射面７から離間するにしたがい高くなる変化を、伴ｘ変化と称す。他方、底面８における凹状要素９の高さがｙ方向において導光板６の中央から離間するにしたがい高くなる変化を、伴ｙ変化と称す。
【００４５】
実施例１〜８として、底面８における凹状要素９の高さが、ｘ方向において入射面７から離間するにしたがい高くなり、かつ、ｙ方向において導光板６の中央から離間するにしたがい高くなる導光板６を用いた。すなわち、実施例１〜８の導光板６は、伴ｘ変化と、伴ｙ変化を有する。
【００４６】
実施例１の導光板６では、伴ｘ変化、伴ｙ変化ともに、底面８全体において連続的に変化させた。実施例２の導光板６では、伴ｘ変化は連続的であるが、伴ｙ変化は、図７に示す五領域の境界で断続的に変化させた。実施例３の導光板６では、伴ｘ変化は、図６に示す六領域の境界で断続的に変化させ、伴ｙ変化は連続的に変化させた。実施例４〜８の導光板６では、伴ｘ変化は図６に示す六領域の境界で断続的に変化させ、伴ｙ変化は図７に示す五領域の境界で断続的に変化させた。なお、実施例４〜８では、伴ｙ変化の変化量をそれぞれで変化させた。
【００４７】
上記実施例１〜４について、図８に示す射出面１０の２５点における輝度を測定した。なお、図８に示す各数値は、導光板６のｘ方向の長さを１、ｙ方向の長さを１とした場合の各方向の距離の割合を示している。そして、２５点の輝度のうち、最小値（ｍ）に対する最大値（Ｍ）の割合（Ｍ／ｍ）を算出した。面輝度均一性として、Ｍ／ｍ値が１．２５を上回るものをＮＧと評価した。各点の輝度は、トプコン製の分光放射輝度計ＳＲ−ＵＬ２にて測定した。また、凹状要素９の視認性を目視評価した。実施例１〜４の評価結果を表１に示し、実施例４〜８の評価結果を表２に示す。
【００４８】
【表１】
2013206595.tif 000003
【００４９】
実施例１〜４では、伴ｘ変化と伴ｙ変化それぞれについて、連続的としたものと不連続としたものを用意したが、その何れにおいても、面輝度均一性および凹状要素９の視認性はともに良好な結果であった。このことにより、伴ｘ変化および伴ｙ変化は、連続的であっても不連続であっても、その面輝度均一性および視認性への影響には大きな差がないことが示された。
【００５０】
【表２】
2013206595.tif 000004
【００５１】
また、実施例５〜８では、何れにおいても面輝度均一性および凹状要素９の視認性はともに良好であったが、実施例１〜４、６および７のＭ／ｍ値が１．２０を下回り、とくに優れているのに対し、実施例５および８のＭ／ｍ値は１．２０を上回り僅かに劣っていた。このことより、伴ｙ変化量は、αの５ｍｍの増減に対しΔＨが０．０７〜０．０９％増減する程度が面輝度均一性においてよいことが示された。
【００５２】
比較例１として、伴ｘ変化があるが、伴ｙ変化のない導光板６を用意した。比較例２には、伴ｘ変化がなく、伴ｙ変化のある導光板６を用いた。比較例３には、伴ｘ変化がなく、伴ｙ変化もない導光板６を用いた。これらの伴ｘ変化および伴ｙ変化は不連続なものとした。
【００５３】
これら比較例１〜３について、図８に示す射出面１０の２５点における輝度を測定し、その最小値（ｍ）に対する最大値（Ｍ）の割合（Ｍ／ｍ）を算出した。面輝度均一性として、Ｍ／ｍ値が１．２５を上回るものをＮＧと評価した。各点の輝度は、トプコン製の分光放射輝度計ＳＲ−ＵＬ２にて測定した。また、凹状要素９の視認性を目視評価した。実施例４および比較例１〜３の評価結果を表３に示す
【００５４】
【表３】
2013206595.tif 000005
【００５５】
面輝度均一性は、実施例４でのみ良好であり、比較例１〜３では不可であった。比較例２のＭ／ｍ値は１．３未満であったが、比較例１および３のＭ／ｍ値は１．３を上回り、面輝度の均一性がとくに悪かった。
【００５６】
視認性は、実施例４および比較例１は良好であり、比較例２および３は不良であった。本試験により、導光板６に形成する凹状要素９は、伴ｘ変化と伴ｙ変化の双方を有する必要があることが示された。
【符号の説明】
【００５７】
１    表示装置
２    照明装置
３    画像表示パネル
４    光源
５    反射シート
６    導光板
７    入射面
８    底面
９    凹状要素
１０    射出面
１１    光学シート
１２、１３    偏光板
１４    画像表示素子
【図１】
2013206595.tif 000006
【図２】
2013206595.tif 000007
【図３】
2013206595.tif 000008
【図４】
2013206595.tif 000009
【図５】
2013206595.tif 000010
【図６】
2013206595.tif 000011
【図７】
2013206595.tif 000012
【図８】
2013206595.tif 000013